(57)【要約】【課題】相手コネクタに対するコジリ嵌合を防ぐことができるスライドカム付きコネクタを提供する。【解決手段】相手コネクタ４００の嵌合部の両側面に設けられたカムピン４１１ａ〜４１１ｃが入り込むカム溝７１ａ〜７１ｃを有するスライダ７０を具備するコネクタ１は、カムピン４１１ａ〜４１１ｃに対してカム溝７１ａ〜７１ｃを嵌合させる際、カム溝７１ａ〜７１ｃにそれぞれ設けられた仮嵌合用突起７４ａ〜７４ｃのうち、嵌合部４１０の側面端部４１０ｂからの距離が長い側に設置された第１のカムピン４１１ａに対応する第１のカム溝７１ａの仮嵌合用突起７４ａの高さｈ1が、他のカム溝７１ｂ，７１ｃの仮嵌合用突起７４ｂ，７４ｃの高さｈ2よりも高く形成される。【選択図】図７
2010199025.tif 000002
【特許請求の範囲】
【請求項１】
コンタクトを収容したハウジングと、該ハウジングに形成されたスライダ収容溝内にスライド動作可能に収容され、相手コネクタの嵌合部の両側面に設けられた複数のカムピンが入り込むカムピン挿入用開口部を有するカム溝をスライド動作方向に複数列有するスライダとを具備し、前記スライダをスライド動作させて前記相手コネクタの嵌合部との嵌合及び分離を達成するスライドカム付きコネクタであって、
前記カムピン挿入用開口部に仮嵌合用の突起が設けられ、前記嵌合部の側面端部からの距離が長い側に設置された前記カムピンに対応する一のカム溝の仮嵌合用の突起の高さが、他のカム溝の仮嵌合用の突起の高さよりも高いことを特徴とするスライドカム付きコネクタ。
【請求項２】
前記ハウジングに対して回動可能に設けられ、前記スライダをスライド動作させるレバーを設けたことを特徴とする請求項１に記載のスライドカム付きコネクタ。
【発明の詳細な説明】
【技術分野】
【０００１】
本発明は、嵌合（分離）操作力を低減するためのスライドカム付きコネクタに関する。
【背景技術】
【０００２】
極数の多いコネクタ同士を嵌合させる場合には、双方のコンタクト間に生じる嵌合抵抗が大きくなるため、手作業でコネクタ同士を嵌合させることが困難になる。このため、嵌合（分離）操作力を低減するための倍力機構を利用したスライドカム付きコネクタが種々提案されている。
従来のこの種のコネクタとして、例えば、図１３〜図１５に示すものが知られている（特許文献１参照）。図１３は、従来例のコネクタの断面図である。図１４は、図１３に示すコネクタに用いられるハウジングの断面図である。図１５は、図１３に示すコネクタのワイヤカバー及びレバーの説明図である。
【０００３】
図１３に示すコネクタ１０１は、相手コネクタ１５０と嵌合するよう構成され、ハウジング１１０と、１対のスライダ１２０と、レバー１３０と、ワイヤカバー１４０とを備えている。
ハウジング１１０の内部には、図１４に示すように、前後方向（図１３において下側を前側、上側を後側とする）に延びる複数のコンタクト収容キャビティ１１１を有するコンタクト収容部１１２が形成されている。各コンタクト収容孔１１１内には、電線（図示せず）に接続された金属製のコンタクト（図示せず）が収容されている。また、ハウジング１１０の内部には、その左右両端面（図１３において左側を左側、右側を右側とする）に開口する上下１対（図１３において紙面手前側を上側、紙面奥側を下側とする）のスライダ収容溝１１３が形成されている。更に、ハウジング１１０の内部であって各スライダ収容溝１１３の外側には、ハウジング１１０の後面に開口するレバー収容溝１１４が形成されている。
【０００４】
また、コンタクト収容部１１２の外周には、シール部材１１５が設けられている。シール部材１１５は、嵌合する相手コネクタ１５０とコンタクト収容部１１２との間をシールし、嵌合部側からコンタクト収容キャビティ１１１内への浸水を防止する機能を有する。
また、各スライダ１２０は板状に形成され、ハウジング１１０のスライダ収容溝１１３内に移動自在に収容されている。各スライダ１２０の内面には、図１３に示すように、相手コネクタ１５０の嵌合部１５１に設けられたカムピン１５２が入り込むカム溝１２１が形成されている。また、各スライダ１２０の外面には、レバー１３０に設けられた、後述する連動溝１３３に嵌入する軸部１２２が設けられている。
【０００５】
更に、レバー１３０は、図１５に示すように、操作部１３１の両端から１対をなす板状のアーム部１３２を延出した形で形成されている。各アーム部１３２には、図１３に示すように、軸孔１３４が形成されている。レバー１３０は、軸孔１３４をワイヤカバー１４０の左右方向略中央部に設けられた支持軸１４１に嵌合させることで、ワイヤカバー１４０に対して回動するように支持されている。また、各アーム部１３２には、その外周縁から軸孔１３４に向かって連動溝１３３が形成されている。以後、各アーム部１３２において、操作部１３１がある側を先端側、軸孔１３４がある側を根元側とする。
【０００６】
また、ワイヤカバー１４０は、ハウジング１１０の後側に取り付けられ、ハウジング１１０から導出された電線の束をハウジング１１０の左右方向一側（図１３において右側、図１４において紙面手前側）に導出するようになっている。
コネクタ１０１と相手コネクタ１５０とを組み付けるには、まず、レバー１３０及びスライダ１２０を図１３に示す分離位置に位置させておき、相手コネクタ１５０の嵌合部１５１をコネクタ１０１の前側から嵌合する。すると、相手コネクタ１５０のカムピン１５２が図１３に示すようにスライダ１２０に設けられたカム溝１２１の入口に進入し、両コネクタ１０１，１５０が仮嵌合状態となる。そして、分離位置にあるレバー１３０を図１３における矢印Ｘ向きに回動して嵌合位置に位置させると、レバー１３０に設けられた連動溝１３３がスライダ１２０の軸部１２２を押す。これにより、スライダ１２０がレバー１３０と連動して分離位置から嵌合位置にまで移動し、カム溝１２１とカムピン１５２の作用により、両コネクタ１０１，１５０が互いに引き寄せられて嵌合状態に至る。その逆に、嵌合位置にあるレバー１３０を矢印Ｘ向きと逆向きに回動して分離位置に位置させると、スライダ１２０がレバー１３０と連動して嵌合位置から分離位置にまで移動し、カム溝１２１とカムピン１５２の作用により、両コネクタ１０１，１５０が分離されるのである。
【０００７】
このように、コネクタ１０１にあっては、回動するレバー１３０と、このレバー１３０に連動する、カム溝１２１を有するスライダ１２０とを備えた倍力構造を採用したことにより、嵌合及び分離操作力を大幅に低減することができる。
また、この種のコネクタとして、複数のカム溝に対して、対応する複数のカムピンが進入する前記複数のカム溝の各々の入口部分に、前記カムピンを一時的に仮嵌合させる突起を設けたコネクタも開示されている（特許文献２参照）。
【先行技術文献】
【特許文献】
【０００８】
【特許文献１】特開２００３−１３２９９６号公報
【特許文献２】特開平１０−２５５９０２号公報
【発明の概要】
【発明が解決しようとする課題】
【０００９】
ところで、従来のコネクタにあっては、作業者が嵌合部分を目視確認できない状況で、相手コネクタとコネクタとを嵌合作業することがある。このような状況で作業者が嵌合作業する場合、相手コネクタの嵌合部に対してコネクタを斜めに位置させた状態でレバーを回動させた結果、いわゆるコジリ嵌合がなされて、コネクタを破損することがあった。
その具体的な例を以下に示す。
【００１０】
図１６は、従来のコネクタが、相手コネクタに対し、レバーのアーム部の根元側に傾いた状態でコジリ嵌合される場合の説明図であり、（Ａ）は平面図、（Ｂ）は背面図、（Ｃ）は（Ｂ）の１６Ｃ−１６Ｃ線に沿う断面図である。また、図１７は、従来のコネクタが、相手コネクタに対し、レバーのアーム部の先端側に傾いた状態でコジリ嵌合される場合の説明図であり、（Ａ）は平面図、（Ｂ）は背面図、（Ｃ）は（Ｂ）の１７Ｃ−１７Ｃ線に沿う断面図である。
【００１１】
図１６及び図１７では、相手コネクタ１５０の嵌合部１５１には、３対のカムピン１５２ａ〜１５２ｃが設けられている。嵌合部１５１は、矩形の枠形状をなし、カムピン１５２ａ〜１５２ｃが設けられた対向する１対の設置面（側面）１５１ａ，１５１ａと、１対の設置面１５１ａ，１５１ａを連結する１対の端面１５１ｂ，１５１ｂにより構成される。コネクタ１０１のアーム部１３２の先端側に位置するカムピン（以下、第１のカムピンと呼ぶ。）１５２ａ，１５２ａは、一方の端面１５１ｂから距離ｄ1だけ離れている。また、コネクタ１０１のアーム部１３２の根本側に位置するカムピン（以下、第３のカムピンと呼ぶ。）１５２ｃ，１５２ｃは、他方の端面１５１ｂから距離ｄ2（ｄ1＞ｄ2）だけ離れている。
【００１２】
図１６（Ａ）に示すように、このような構成の相手コネクタ１５０に対し、コネクタ１０１をアーム部１３２の根本側に傾いた状態でハウジング１１０と嵌合部１５１とを嵌合させた場合、図１６（Ｂ）及び図１６（Ｃ）に示すように、第１のカムピン１５２ａ，１５２ａに対応するカム溝（以下、第１のカム溝と呼ぶ。）１２１ａ，１２１ａに第１のカムピン１５２ａ，１５２ａが適正に嵌合していない状態となりうる。
【００１３】
一方、図１７（Ａ）に示すように、このような構成の相手コネクタ１５０に対し、コネクタ１０１をアーム部１３２の先端側に傾いた状態でハウジング１１０と嵌合部１５１とを嵌合させた場合、図１７（Ｂ）及び図１７（Ｃ）に示すように、第３のカムピン１５２ｃ，１５２ｃに対応するカム溝（以下、第３のカム溝と呼ぶ。）１２１ｃ，１２１ｃに第３のカムピン１５２ｃ，１５２ｃが適正に嵌合していない状態となりうる。
【００１４】
図１６に示す状態でレバーを回動させた場合、いわゆるコジリ嵌合がなされ、第３のカムピン１５２ｃ，１５２ｃよりも嵌合部１５１の端面１５１ｂからの距離が長い分、嵌合が不確実な第１のカムピン１５２ａ，１５２ａにかかる応力は大きく、第１のカムピン１５２ａ，１５２ａを破損してしまうおそれがあった。
一方、図１７に示す状態でレバー１３０を回動させた場合、嵌合が不確実な第３のカムピン１５２ｃ，１５２ｃに応力はかかる。しかし、第１のカムピン１５２ａ，１５２ａよりも嵌合部１５１の端面１５１ｂからの距離が短いので、レバー１３０を回動させる力に対する抵抗が大きくなる。このため、第３のカムピン１５２ｃ，１５２ｃを破損してしまう前に作業者が異常に気がつくことが多かった。
【００１５】
このように、両端に位置するカムピンの端面１５１ｂからの距離が異なる複数のカムピンが設けられた相手コネクタ１５０に対して、コネクタ１０１を嵌合させる場合には、端面１５１ｂからの距離が長いカムピンを破損することがあり、改善の余地があった。
従って、本発明はこれら問題点を解決するためになされたものであり、その目的は、相手コネクタに対するコジリ嵌合を防ぐことができるスライドカム付きコネクタを提供することにある。
【課題を解決するための手段】
【００１６】
上記問題を解決するため、請求項１に係るスライドカム付きコネクタは、コンタクトを収容したハウジングと、該ハウジングに形成されたスライダ収容溝内にスライド動作可能に収容され、相手コネクタの嵌合部の両側面に設けられた複数のカムピンが入り込むカムピン挿入用開口部を有するカム溝をスライド動作方向に複数列有するスライダとを具備し、前記スライダをスライド動作させて前記相手コネクタの嵌合部との嵌合及び分離を達成するスライドカム付きコネクタであって、
前記カムピン挿入用開口部に仮嵌合用の突起が設けられ、前記嵌合部の側面端部からの距離が長い側に設置された前記カムピンに対応する一のカム溝の仮嵌合用の突起の高さが、他のカム溝の仮嵌合用の突起の高さよりも高いことを特徴としている。
【００１７】
また、請求項２に係るスライドカム付きコネクタは、前記ハウジングに対して回動可能に設けられ、前記スライダをスライド動作させるレバーを設けたことを特徴としている。
【発明の効果】
【００１８】
請求項１に係るスライドカム付きコネクタによれば、強度が弱く形成されがちな一のカムピンに、敢えてカム溝が仮嵌合しにくい構成とすることで、該一のカムピンにカム溝が嵌合して初めてスライダの操作が可能となる。一のカムピンにカム溝が仮嵌合する際の慣性力で他のカムピンが確実に仮嵌合されることとなる。したがって、嵌合部に対して斜めに嵌合したハウジングの状態を補正し、全てのカムピン及びカム溝が適正に嵌合されるので、相手コネクタに対してコジリを発生させずに適正に嵌合することができるスライドカム付きコネクタを提供することができる。
【００１９】
また、請求項２に係るスライドカム付きコネクタによれば、前記ハウジングに対して回動する前記レバーと、このレバーに連動するカム溝を有するスライダとを備えた倍力構造により、嵌合及び分離操作力を大幅に低減できる。
【図面の簡単な説明】
【００２０】
【図１】本発明に係るスライドカム付きコネクタの分解斜視図である。
【図２】図１のコネクタを示し、（Ａ）はレバーが分離位置にあるときの状態、（Ｂ）はレバーが嵌合位置にある状態を示している。
【図３】図１のコネクタを示し、（Ａ）は正面図、（Ｂ）は（Ａ）の３Ｂ−３Ｂ線に沿う断面図である。
【図４】図１のコネクタを示し、（Ａ）は図３（Ａ）の４Ａ−４Ａ線に沿う断面図、（Ｂ）は図３（Ａ）の４Ｂ−４Ｂ線に沿う断面図である。
【図５】図４の５−５線に沿う断面図である。但し、図５においては、リテーナが本係止位置にある状態を示している。
【図６】コネクタの上側に設置されるスライダの構成を示す図であり、（Ａ）は底面図、（Ｂ）は正面図である。
【図７】図６のスライダの断面図であり、（Ａ）は図６の７Ａ−７Ａ線に沿う断面図、（Ｂ）は図６の７Ｂ−７Ｂ線に沿う正面図である。
【図８】コネクタと相手コネクタとが嵌合する前の状態の説明図である。
【図９】コネクタと相手コネクタとの仮嵌合状態の説明図であり、（Ａ）は背面図、（Ｂ）は（Ａ）の９Ｂ−９Ｂ線に沿う断面図である。
【図１０】コネクタと相手コネクタとの仮嵌合状態の説明図であり、（Ａ）は図９（Ａ）の１０Ａ−１０Ａ線に沿う断面図、（Ｂ）は（Ａ）の１０Ｂ部分の拡大図、（Ｃ）は図９（Ａ）の１０Ｃ−１０Ｃ線に沿う断面図、（Ｄ）は（Ｃ）の１０Ｄ部分の拡大図である。
【図１１】コネクタと相手コネクタとが嵌合途中の状態の説明図である。
【図１２】コネクタと相手コネクタとの嵌合完了状態の説明図であり、（Ａ）は背面図、（Ｂ）は（Ａ）の１２Ｂ−１２Ｂ線に沿う断面図である。
【図１３】従来例のコネクタの断面図である。
【図１４】図１３のコネクタの断面図である。
【図１５】図１３に示すコネクタのワイヤカバー及びレバーの説明図である。
【図１６】従来のコネクタが、相手コネクタに対し、レバーのアーム部の根元側に傾いた状態でコジリ嵌合される場合の説明図であり、（Ａ）は平面図、（Ｂ）は背面図、（Ｃ）は（Ｂ）の１６Ｃ−１６Ｃ線に沿う断面図である。
【図１７】従来のコネクタが、相手コネクタに対し、レバーのアーム部の先端側に傾いた状態でコジリ嵌合される場合の説明図であり、（Ａ）は平面図、（Ｂ）は背面図、（Ｃ）は（Ｂ）の１７Ｃ−１７Ｃ線に沿う断面図である。
【発明を実施するための形態】
【００２１】
次に、本発明の実施形態を図面を参照して説明する。以下では、レバー式コネクタ１を例に本発明のスライドカム付きコネクタを説明する。
図１に示すレバー式コネクタ１は、インナーハウジング１０と、フロントカバー２０と、リテーナ３０と、第１シール部材４０と、第２シール部材５０と、アウターハウジング６０と、１対のスライダ７０と、レバー８０と、ワイヤカバー９０とを具備している。
【００２２】
一方、レバー式コネクタ１の嵌合対象である相手コネクタ４００は、絶縁性の樹脂を成形することによって一体に形成され、図示しない相手端子を保持する本体部４０１と、本体部４０１上に形成された嵌合部４１０とを有する。なお、相手端子は、フロントカバー２０に設けられる複数のコンタクト収容室２３（図４及び図５参照）に対応するように本体部４０１に保持される。嵌合部４１０は、前記相手端子を囲むように形成され、レバー式コネクタ１のインナーハウジング１０の外周及びアウターハウジング６０のフード部６２の内周の間に挿入される。嵌合部４１０の側面４１０ａには、３対のカムピン４１１ａ〜４１１ｃが設けられている。嵌合部４１０は、略矩形の枠形状をなし、カムピン４１１ａ〜４１１ｃが設けられた対向する１対の側面（設置面）４１０ａ，４１０ａと、１対の側面４１０ａ，４１０ａを連結する１対の端面４１０ｂ，４１０ｃにより構成される。側面４１０ａ，４１０ａに設置される両端側のカムピンのうち、カムピン（以下、第１のカムピンと呼ぶ。）４１１ａ，４１１ａは、一方の端面４１０ｂから距離ｄ1だけ離れている（図８参照）。また、カムピン（以下、第３のカムピンと呼ぶ。）４１１ｃ，４１１ｃは、他方の端面４１０ｃから距離ｄ2（ｄ1＞ｄ2）だけ離れている（図８参照）。
【００２３】
インナーハウジング１０は、絶縁性の樹脂を成形することによって一体に形成されるものであり、図１及び図３〜図５に示すように、幅方向（図３（Ａ）における左右方向）、上下方向（図３（Ａ）における上下方向）及び前後方向（図３（Ｂ）における上下方向）に延びる略直方体形状のハウジング本体１１と、ハウジング本体１１から後方に延びるフード部１２とを備えている。ハウジング本体１１には、前後方向に貫通する複数のコンタクト収容キャビティ１３が設けられ、フード部１２の内側空間は、第２シール部材収容空間１４を形成している。各コンタクト収容キャビティ１３には、図示しないコンタクトを一次的に係止するためのハウジングランス１５が設けられている。
【００２４】
そして、ハウジング本体１１には、図４（Ｂ）に示すように、下面に開口し上方に延びるリテーナ収容凹部１７が形成されている。リテーナ収容凹部１７の上面には、図１及び図４（Ｂ）に示すように、複数の開口１７ａが設けられている。リテーナ３０の後述するフロントカバー保持突起３２が開口１７ａを通ってハウジング本体１１の上側に突き抜け可能となっている。
【００２５】
また、インナーハウジング１０のフード部１２の幅方向両端部には、図１に示すように、アウターハウジング６０をインナーハウジング１０に係止するための１対のラッチアーム１６が後方に向けて突出形成されている。
更に、フロントカバー２０は、インナーハウジング１０の前側に装着されるよう構成され、図１に示すように、幅方向に延びてハウジング本体１１の前面を覆うカバー本体２１を備えている。フロントカバー２０は、絶縁性の樹脂を成形することによって形成される。そして、カバー本体２１の後面には、ハウジング本体１１の上面、下面及び幅方向両側面を覆うフード部２２が後方に延びるように形成されている。
【００２６】
ここで、フロントカバー２０のカバー本体２１の後面には、図４（Ｂ）及び図５に示すように、ハウジング本体１１に設けられたコンタクト収容キャビティ１３に対応する位置に、複数のコンタクト収容室２３が形成されている。また、カバー本体２１の前面には、ハウジング本体１１に設けられたコンタクト収容キャビティ１３に対応する位置に、コンタクト収容室２３に連通する複数の相手端子挿入口２４が形成されている。
【００２７】
フロントカバー２０を設けることにより、相手コネクタ４００（図１及び図８参照）とレバー式コネクタ１の嵌合時に、相手コネクタ４００に設けられた相手端子（図示せず）がレバー式コネクタ１のコンタクトに突き当たってしまう等の問題を回避できる。即ち、インナーハウジング１０内に収容されたコンタクトを保護することができる。
更に、フロントカバー２０のフード部２２の上壁２２ａには、図４（Ｂ）に示すように、リテーナ３０の後述するフロントカバー保持突起３２が挿通する複数の孔２７が形成されている。各孔２７には、図４（Ｂ）に示すように、リテーナ３０がハウジング１０に装着されたとき、リテーナ３０の各フロントカバー保持突起３２が挿通してフロントカバー２０の前後方向の移動を規制するようになっている。
【００２８】
次に、リテーナ３０は、インナーハウジング１０の下側からリテーナ収容凹部１７内に装着されるよう構成され、図１及び図４（Ａ），（Ｂ）に示すように、幅方向に延びる略板状に形成されている。リテーナ３０は、図４（Ａ），（Ｂ）に示す仮係止位置でインナーハウジング１０に仮保持され、更に押し込まれて図５に示す本係止位置でインナーハウジング１０に固定される。リテーナ３０の本係止状態は、リテーナ３０が最も押し込まれた状態である。このリテーナ３０は、図４（Ｂ）に示すように、ハウジング本体１１に設けられたコンタクト収容キャビティ１３に対応するように形成された複数のコンタクト挿通孔３１を有している。そして、リテーナ３０の上端面３０ａには、複数のフロントカバー保持突起３２が上方に突出するように形成されている。
【００２９】
そして、リテーナ３０が仮係止位置にあるときには、図示しないコンタクトがコンタクト収容キャビティ１３内に挿入されて、かかるコンタクトがハウジングランス１５により一次的に係止される。そして、リテーナ３０が本係止位置に移動されると、コンタクトはリテーナ３０により二次的に係止されるようになっている。
また、第１シール部材４０は、図１及び図４に示すように、リング状に形成されてインナーハウジング１０のハウジング本体１１の外側に密着するようになっている。この第１シール部材４０は、相手コネクタ４００がレバー式コネクタ１に嵌合したときに、相手コネクタ４００とハウジング本体１１との間をシールし、嵌合部からインナーハウジング１０の内部に水が浸入するのを阻止する機能を有する。
【００３０】
また、第２シール部材５０は、いわゆる一括シール部材と呼ばれているものであって、図１及び図４（Ａ）に示すように、略板状に形成されてインナーハウジング１０のフード部１２の第２シール部材収容空間１４内に収容され、フード部１２の内周面に密着するようになっている。第２シール部材５０には、図１及び図４（Ｂ）に示すように、コンタクト収容キャビティ１３に対応する位置に複数の電線挿通孔５１が形成されている。コンタクト収容キャビティ１３に収容されたコンタクトに接続された電線（図示せず）は、電線挿通孔５１を通って後方に導出される。電線挿通孔５１内周のシール部分が電線の外周面に密着し、電線挿通孔５１からインナーハウジング１０の内部への水の浸入を阻止するようになっている。
【００３１】
更に、アウターハウジング６０は、インナーハウジング１０の後側に装着されて第２シール部材５０の抜け止めを行うものであり、絶縁性の樹脂を成形することによって一つの部材として形成されている。アウターハウジング６０は、図１に示すように、幅方向、前後方向及び上下方向に延びる略直方体形状に形成されている。このアウターハウジング６０は、図４（Ａ）に示すように、幅方向に延びて第２シール部材５０の後側に位置する本体部６１と、本体部６１の外周端部から前方に延びてインナーハウジング１０を覆うフード部６２とを備えている。アウターハウジング６０の本体部６１には、図４（Ｂ）に示すように、コンタクト収容キャビティ１３に対応する位置に複数の電線導出孔６３が形成されている。また、アウターハウジング６０のフード部６２の上下両側の部分には、幅方向に延びる１対のスライダ収容溝６４が設けられている。更に、アウターハウジング６０の後面には、図３（Ｂ）に示すように、インナーハウジング１０に設けられたラッチアーム１６が係止される係止用段部６６が設けられている。また、アウターハウジング６０のフード部６２の幅方向一端部には、図１に示すように、レバー８０の後述する支軸部８４が嵌入される軸受部６５が設けられている。
【００３２】
また、各スライダ７０は絶縁性の樹脂を成形することによって略板状に形成され、アウターハウジング６０のスライダ収容溝６４内で幅方向に沿ってスライド動作可能に収容されている。各スライダ７０の内側の面には、相手コネクタ４００に設けられたカムピン４１１ａ〜４１１ｃ（図１及び図８参照）が入り込むカム溝７１ａ〜７１ｃが形成されている。また、各スライダ７０の内側の面の一端部には、レバー８０に設けられた、後述するスライダ移動用突起８５が嵌入する凹部７２が形成されている。
【００３３】
また、レバー８０は、図１に示すように、１対のアーム部８１と、これらアーム部８１の一端を連結する連結部８２とを備えている。各アーム部８１の他端部にはアーム部８１に対し直角に延びる延長部８３が設けられ、各延長部８３の先端の内側の面には支軸部８４が突出形成されている。また、各アーム部８１の他端部の外側の面には、各スライダ７０の凹部７２に嵌入するスライダ移動用突起８５が突出形成されている。
【００３４】
レバー８０の支軸部８４は、アウターハウジング６０の幅方向一端部に設けられた軸受部６５に嵌入されて、アウターハウジング６０に対し図２（Ａ）に示す矢印Ａ向き及び図２（Ｂ）に示す矢印Ｂ向きの双方向に回動するようになっている。図２（Ａ）に示す分離位置から図２（Ｂ）に示す嵌合位置までレバー８０が矢印Ａ向きに回動すると、レバー８０に設けられたスライダ移動用突起８５がスライダ７０を押し、これによりスライダ７０がレバー８０と連動してスライダ収容溝６４内に収容される方向にスライド動作し、カム溝７１ａ〜７１ｃとカムピン４１１ａ〜４１１ｃの作用により、レバー式コネクタ１及び相手コネクタ４００が互いに引き寄せられて嵌合状態に至る。その逆に、嵌合位置から分離位置までレバー８０が矢印Ｂ向きに回動すると、スライダ７０がレバー８０と連動してスライダ収容溝６４から出る方向にスライド動作し、カム溝７１ａ〜７１ｃとカムピン４１１ａ〜４１１ｃの作用により、レバー式コネクタ１及び相手コネクタ４００が分離されるようになっている。この嵌合及び分離の動作については後に詳述する。
【００３５】
ここで、図６（Ａ）及び図６（Ｂ）に示すように、上側のスライダ収容溝６４に収容されるスライダ７０の底面には、長手方向にカム溝７１ａ〜７１ｃが等間隔で複数列形成されている。これら複数のカム溝７１ａ〜７１ｃは、嵌合するカムピン４１１ａ〜４１１ｃに対応して形成される。図６（Ａ）では、３列のカム溝が形成されているので、嵌合対象の各カムピン４１１ａ，４１１ｂ，４１１ｃに合わせて、凹部７２とは反対側から、カム溝７１ａ、カム溝７１ｂ、カム溝７１ｃとする。即ち、第１のカム溝７１ａは、嵌合部４１０の側面端部４１０ｂからの距離が長い側に設置された第１のカムピン４１１ａに対応する。各カム溝７１ａ，７１ｂ，７１ｃは、一方が閉じ、他方がスライダ７０の正面において開口し、各カムピン４１１ａ，４１１ｂ，４１１ｃを受け入れるカムピン挿入用開口部７３ａ〜７３ｃを形成している。各カム溝７１ａ，７１ｂ，７１ｃのカムピン挿入用開口部７３ａ，７３ｂ，７３ｃには、図７（Ａ）及び図７（Ｂ）に示すように、仮嵌合用突起７４ａ，７４ｂが形成されている。仮嵌合用突起７４ａの高さ（カム溝７１ａの底面から仮嵌合用突起７４ａの頂部までの高さ）ｈ1は、仮係止突起７４ｂの高さ（カム溝７１ｂ，７１ｃの底面から仮嵌合用突起７４ｂの頂部までの高さ）ｈ2よりも大きくされる。
【００３６】
また、仮嵌合用突起７４ａ，７４ｂは、カムピン４１１ａ〜４１１ｃが挿入される側の断面形状が曲面となるように形成され、それぞれ所定の高さを有していてもカムピン４１１ａ〜４１１ｃが挿入されやすいように形成されている。
なお、上述のスライダ７０と同様に、下側のスライダ収容溝６４に収容されるスライダ７０の平面にも、長手方向にカム溝７１ａ〜７１ｃが等間隔で複数列形成されている。これらのスライダ７０，７０は、それぞれのカム溝７１ａ〜７１ｃを対向させるようにして上下のスライダ収容溝６４，６４に収容される。
【００３７】
更に、ワイヤカバー９０は、アウターハウジング６０の後側に取り付けられ、アウターハウジング６０の電線導出孔６３から導出された複数の電線を、アウターハウジング６０の幅方向の一方側に導出するようになっている。ワイヤカバー９０の上面及び下面には、図１及び図２（Ａ），（Ｂ）に示すように、レバー８０の分離位置から矢印Ａ向きの回動を規制する第１規制突起９４がそれぞれ設けられている。また、ワイヤカバー９０の上面及び下面には、図１及び図２（Ａ），（Ｂ）に示すように、レバー８０の分離位置から矢印Ａ向きと反対向きの回動を規制する第２規制突起（図示せず）がそれぞれ設けられている。更に、ワイヤカバー９０には、図１及び図２（Ｂ）に示すように、レバー８０が矢印Ａ向きに回動して嵌合位置に位置したときにレバー８０の矢印Ｂ向きへの回動を阻止するロック部材９３が設けられている。
【００３８】
次に、レバー式コネクタ１の組み立て方法について説明する。
レバー式コネクタ１の組み立てに際し、まず、インナーハウジング１０のハウジング本体１１の外側に第１シール部材４０を装着する。
次いで、フロントカバー２０をインナーハウジング１０の前側に装着する。
そして、リテーナ３０をハウジング１０の下側からリテーナ収容凹部１７内に挿入し、図４（Ａ）及び図４（Ｂ）に示すように、仮係止位置に係止させる。このリテーナ３０が仮係止位置に配置されたときには、各コンタクト挿通孔３１が、インナーハウジング１０の対応するコンタクト収容キャビティ１３と整合するよう位置する。また、このとき、リテーナ３０のフロントカバー保持突起３２が、図４（Ｂ）に示すように、ハウジング１０の開口１７ａを突き抜けるとともに、フロントカバー２０の孔２７を挿通するので、フロントカバー２０の前後方向の移動を規制する。
【００３９】
次に、第２シール部材５０を、インナーハウジング１０の後側からフード部１２の第２シール収容空間１４内に収容する。これにより、第２シール部材５０の外周面がフード部１２の内周面に密着する。
そして、アウターハウジング６０を、第１シール部材４０、フロントカバー２０、リテーナ３０及び第２シール部材５０を装着したインナーハウジング１０の後側から装着する。この際、インナーハウジング１０に設けられたラッチアーム１６がアウターハウジング６０の係止用段部６６に係止される。これにより、第２シール部材５０の第２シール部材収容空間１４からの抜け止めがなされる。また、第１シール部材４０は、フロントカバー２０及びリテーナ３０によりインナーハウジング１０から抜け止めされる。
その後、１対のスライダ７０をアウターハウジング６０のスライド収容溝６４内に、一端部に形成された凹部７２と反対側端縁から挿入する。
【００４０】
次いで、電線に接続された複数のコンタクトを、アウターハウジング６０の後側から電線導出孔６３及び第２シール部材５０の電線挿通孔５１を通してインナーハウジング１０のコンタクト収容キャビティ１３内に収容する。このとき、インナーハウジング１０に設けられたハウジングランス１５が各コンタクトを一次的に係止する。
【００４１】
その後、仮係止位置にあるリテーナ３０を押し込んで本係止位置まで押し込む。すると、コンタクトはリテーナ３０により二次的に係止される。このとき、フロントカバー２０の孔２７を通過したリテーナ３０のフロントカバー保持突起３２が、フロントカバー２０の前後方向の移動を規制する。
【００４２】
次に、ワイヤカバー９０をアウターハウジング６０の後側に取り付け、アウターハウジング６０の電線導出孔６３から導出された複数の電線を、アウターハウジング６０の長手方向の一側に導出する。
【００４３】
最後に、レバー８０の支軸部８４を、アウターハウジング６０の幅方向一端部に設けられた軸受部６５に嵌入するとともに、レバー８０のスライダ移動用突起８５を、各スライダ７０の凹部７２に嵌入する。これにより、レバー８０はアウターハウジング６０に対して図２（Ａ）に示す矢印Ａ向き及び図２（Ｂ）に示す矢印Ｂ向きの双方向に回動可能になるとともに、スライダ７０がレバー８０の回動動作に連動してスライダ収容溝６４内をスライド移動可能になる。
【００４４】
以上の作業により、レバー式コネクタ１の組立てが完了する。
次に、レバー式コネクタ１及び相手コネクタ４００の嵌合及び分離の動作について図５及び図８乃至図１２を参照して説明する。
レバー式コネクタ１と相手コネクタ４００とを組み付けるには、まず、レバー８０及びスライダ７０を図８に示す分離位置に位置させておく。この状態では、レバー８０はワイヤカバー９０に設けられた第１規制突起９４によって図９に示す矢印Ａ向きの回動は規制されている。そして、この状態で、レバー式コネクタ１を図８に示すように相手コネクタ４００の前側から矢印Ｃ向きに押し込む。すると、相手コネクタ４００のハウジング４１０に設けられたカムピン４１１ａ〜４１１ｃがスライダ７０に設けられたカム溝７１ａ〜７１ｃのカムピン挿入用開口部７３に進入し、図９に示すように、レバー式コネクタ１と相手コネクタ４００とが仮嵌合状態となる。
【００４５】
この仮嵌合状態では、図１０（Ａ）及び図１０（Ｂ）に示すように、仮嵌合用突起７４ａを越えた第１のカムピン４１１ａが第１のカム溝７１ａのカムピン挿入用開口部７３ａ付近で嵌合している。また、図１０（Ｃ）及び図１０（Ｄ）に示すように、仮嵌合用突起７４ｂを越えたカムピン４１１ｂがカム溝７１ｂのカムピン挿入用開口部７３ｂ付近で嵌合している。本実施形態では、他の仮嵌合用突起７４ｂ，７４ｃよりも仮嵌合用突起７４ａを高く設定することにより、カムピン４１１ａが仮嵌合用突起７４ａを乗り越えにくくしている。これにより、カムピン４１１ａが仮嵌合用突起７４ａを乗り越える場合は、慣性力により他のカムピン４１１ｂ，４１１ｃが他の嵌合用突起７４ｂ，７４ｃを乗り越えることを保証する。すなわち、第１のカムピン４１１ａが仮嵌合される際の慣性力で他のカムピン４１１ｂ，４１１ｃを仮嵌合させるので、全てのカムピンを確実に仮嵌合させることができる。
【００４６】
そして、分離位置にあるレバー８０を、第１規制突起９４による規制を解除するために必要な力よりも大きな力で図９に示す矢印Ａ向きに回動すると、レバー８０に設けられたスライダ移動用突起８５がスライダ７０を矢印Ｄ向きに押し、スライダ７０がレバー８０と連動してスライド動作し、これにより、図１１に示す嵌合途中の状態となる。この際に、スライダ７０に設けられたカム溝７１ａ〜７１ｃと相手コネクタ４００に設けられたカムピン４１１ａ〜４１１ｃの作用により、レバー式コネクタ１及び相手コネクタ４００が互いに少しだけ引き寄せられる。
【００４７】
そして、レバー８０を更に矢印Ａ向きに回動して嵌合位置に位置させると、レバー８０に設けられたスライダ移動用突起８５がスライダ７０を矢印Ｄ方向に更に押し、スライダ７０がレバー８０と連動してスライド動作し、これにより、図１２に示す嵌合完了状態になる。この際に、スライダ７０に設けられたカム溝７１ａ〜７１ｃと相手コネクタ４００に設けられたカムピン４１１ａ〜４１１ｃの作用により、レバー式コネクタ１及び相手コネクタ４００が互いに最終位置まで引き寄せられる。これにより、レバー式コネクタ１及び相手コネクタ４００の嵌合動作が完了する。レバー８０が嵌合位置に位置したときには、レバー８０の図２（Ｂ）に示す矢印Ｂ向きへの回動はロック部材９３により阻止される。
【００４８】
このように、レバー式コネクタ１によれば、嵌合部４１０に設けられたカムピンのうち、側面端部からの距離が長い側に設置された第１のカムピン４１１ａに対応する第１のカム溝７１ａの仮嵌合用突起７４ａの高さｈ1を、他のカム溝７１ｂ，７１ｃの仮嵌合用突起７４ｂ，７４ｃの高さｈ2よりも高く形成する構成とした。このような構成としたことで、第１のカムピン４１１ａにカム溝７１ａが仮嵌合するときの慣性力で他のカムピン４１１ｂ，４１１ｃが確実にカム溝７１ｂ，７１ｃに仮嵌合されることとなる。したがって、嵌合部１５１に対して斜めに嵌合したハウジング６０の状態を補正し、全てのカムピン４１１ａ〜４１１ｃ及びカム溝７１ａ〜７１ｃが適正に嵌合されるので、相手コネクタ４００に対してコジリを発生させずに適正に嵌合することができるレバー式コネクタ１を提供することができる。
【００４９】
以上、本発明の実施形態について説明してきたが、本発明はこれに限定されずに種々の変更、改良を行うことができる。例えば、嵌合部に設けられた複数のカムピンのうち、両端のカムピンの嵌合部の側面端部からの距離がそれぞれ同じであった場合、両端のカムピンに対応するカム溝の仮嵌合用突起のそれぞれの高さを、両端のカムピン以外のカムピンに対応するカム溝の仮嵌合用突起の高さよりも高く形成してもよい。
【００５０】
また、本発明は、例えば、実開平６−１１２７５号公報に記載されたレバーのないスライドカム型コネクタにも適用できることは勿論である。
【符号の説明】
【００５１】
１  レバー式コネクタ
１０  インナーハウジング
６０  アウターハウジング（ハウジング）
６４  スライダ収容溝
７０  スライダ
７１ａ，７１ｂ，７１ｃ  カム溝
７４  仮嵌合用突起
８０  レバー
８１  操作部
８２  アーム部
９０  ワイヤカバー
４００  相手コネクタ
４１１ａ，４１１ｂ，４１１ｃ  カムピン
【図１】
2010199025.tif 000003
【図２】
2010199025.tif 000004
【図３】
2010199025.tif 000005
【図４】
2010199025.tif 000006
【図５】
2010199025.tif 000007
【図６】
2010199025.tif 000008
【図７】
2010199025.tif 000009
【図８】
2010199025.tif 000010
【図９】
2010199025.tif 000011
【図１０】
2010199025.tif 000012
【図１１】
2010199025.tif 000013
【図１２】
2010199025.tif 000014
【図１３】
2010199025.tif 000015
【図１４】
2010199025.tif 000016
【図１５】
2010199025.tif 000017
【図１６】
2010199025.tif 000018
【図１７】
2010199025.tif 000019
【手続補正書】
【提出日】平成22年4月5日(2010.4.5)
【手続補正１】
【補正対象書類名】特許請求の範囲
【補正対象項目名】全文
【補正方法】変更
【補正の内容】
【特許請求の範囲】
【請求項１】
コンタクトを収容したハウジングと、該ハウジングに形成されたスライダ収容溝内にスライド動作可能に収容されたスライダとを具備し、該スライダが、相手コネクタの嵌合部の両側面に設けられた複数のカムピンが入り込むカムピン挿入用開口部を有するカム溝をスライド動作方向に複数列有すると共に、前記複数のカムピンが、前記スライド動作方向に複数並び、かつ、前記嵌合部の一方の端面から所定距離離れて設けられた一のカムピンと、前記嵌合部の他方の端面から前記所定距離よりも短い距離離れて設けられた他のカムピンとを備え、前記スライダをスライド動作させて前記相手コネクタの嵌合部との嵌合及び分離を達成するスライドカム付きコネクタであって、
前記カムピン挿入用開口部に仮嵌合用の突起が設けられ、前記一のカムピンに対応する一のカム溝の仮嵌合用の突起の高さが、前記他のカムピンに対応する他のカム溝の仮嵌合用の突起の高さよりも高いことを特徴とするスライドカム付きコネクタ。
【請求項２】
前記ハウジングに対して回動可能に設けられ、前記スライダをスライド動作させるレバーを設けたことを特徴とする請求項１に記載のスライドカム付きコネクタ。
【手続補正２】
【補正対象書類名】明細書
【補正対象項目名】００１６
【補正方法】変更
【補正の内容】
【００１６】
上記問題を解決するため、請求項１に係るスライドカム付きコネクタは、コンタクトを収容したハウジングと、該ハウジングに形成されたスライダ収容溝内にスライド動作可能に収容されたスライダとを具備し、該スライダが、相手コネクタの嵌合部の両側面に設けられた複数のカムピンが入り込むカムピン挿入用開口部を有するカム溝をスライド動作方向に複数列有すると共に、前記複数のカムピンが、前記スライド動作方向に複数並び、かつ、前記嵌合部の一方の端面から所定距離離れて設けられた一のカムピンと、前記嵌合部の他方の端面から前記所定距離よりも短い距離離れて設けられた他のカムピンとを備え、前記スライダをスライド動作させて前記相手コネクタの嵌合部との嵌合及び分離を達成するスライドカム付きコネクタであって、
前記カムピン挿入用開口部に仮嵌合用の突起が設けられ、前記一のカムピンに対応する一のカム溝の仮嵌合用の突起の高さが、前記他のカムピンに対応する他のカム溝の仮嵌合用の突起の高さよりも高いことを特徴としている。